(57)【特許請求の範囲】
【請求項１】
えりと両袖部と身頃部を持つ外衣シャツであり、右前身頃の裏面側に右収納袋を、左前身頃の裏面側には左収納袋をそれぞれの開口部を互いに対向させるように取り付け、これら両収納袋に跨がるように前記開口部を介して防護機能を有する機能板を出し入れ可能に収納したことを特徴とする防護機能を有する外衣シャツ。
【請求項２】
前記防護機能を有する機能板が、防刃板、防弾板、保温板または保冷板である請求項１に記載の防護機能を有する外衣シャツ。
【請求項３】
前記右収納袋の上縁部を前記右前身頃の肩部と台えりの下部に共縫いし、前記左収納袋の上縁部を前記左前身頃の肩部と台えりの下部に共縫いした請求項１または２に記載の防護機能を有する外衣シャツ。
【請求項４】
前記右収納袋の上部側縁部を前記右前身頃のアームホールに共縫いし、前記左収納袋の上部側縁部を前記左前身頃のアームホールに共縫いした請求項３に記載の防護機能を有する外衣シャツ。
【請求項５】
前記右収納袋の脇側縁部を前記右前身頃の脇部に共縫いし、前記左収納袋の脇側縁部を前記左前身頃の脇部に共縫いした請求項３または４に記載の防護機能を有する外衣シャツ。
【請求項６】
前記右収納袋と左収納袋とに、これら両収納袋に跨がるように挿入した前記防護機能を有する機能板の外形に合わせて飾り縫いを施した請求項１〜５のいずれかに記載の防護機能を有する外衣シャツ。
【請求項７】
前記右収納袋と左収納袋をそれぞれ前側の布帛と後側の布帛とから構成し、少なくとも前記後側の布帛をメッシュ地にした請求項１〜６のいずれかに記載の防護機能を有する外衣シャツ。
【請求項８】
前記右収納袋の前側の布帛と前記左収納袋の前側の布帛とを、それぞれ前記右前身頃と左前身頃を構成する布帛により兼用させた請求項７に記載の防護機能を有する外衣シャツ。
【発明の詳細な説明】
【０００１】
【発明の属する技術分野】
本発明は外衣シャツに関し、さらに詳しくは、外衣を着用したままで防刃、防弾、保温または保冷等の着用者を防護する機能を有する機能板を容易に出し入れ可能にした防護機能を有する外衣シャツに関する。
【０００２】
【従来の技術】
一般に防刃衣や防弾衣は、防刃板又は防弾板を内蔵したベストとして構成されており、このような防刃用ベストや防弾用ベスト等を、外衣の内側に外側からは見えないように着用するようになっている。
【０００３】
しかし、上記防刃用ベスト等を、夏期において外衣であるシャツの内側に外側から見えない状態に着用すると、分厚い防刃プレートが肌に密着して非常に暑苦しく不快になる。そのため常時の着用が嫌われ、非常時だけに着用するという傾向がある。しかし、この防刃用ベスト等を着用するには、外衣のシャツをいったん脱がないと着用出来ないため、非常時に短時間で防刃用ベスト等を着用することは非常に難しく、かつ面倒であるという問題があった。
【０００４】
他方、溶鉱炉、火事場等の高温現場や冷凍庫、極寒地等の低温現場で働く作業者にとって、上記防刃用ベスト等における防刃板に代えて、保冷板や保温板を挿入するようにした保冷衣服や保温衣服を作業着として着用すれば、作業能率を著しく向上することができる。しかしながら、保冷衣服や保温衣服は、作業現場を離れた場所へ移動した後も着用したままであると、寒さを招いたり、暑苦しさを招いたりするので、作業現場から離れれば脱いだ方がよい。しかし、上記防刃用ベスト等と同様に、その着替えが非常に面倒であるという問題がある。
【０００５】
【発明が解決しようとする課題】
本発明の目的は、外衣を着用したまま防刃、防弾、保冷、保温などの機能が付与された機能衣服の状態と通常の衣服の状態との切り替えを簡単に行えるようにした防護機能を有する外衣シャツを提供することにある。
【０００６】
【課題を解決するための手段】
上記目的を達成する本発明の防護機能を有する外衣シャツは、えりと両袖部と身頃部を持つ外衣シャツであり、右前身頃の裏面側に右収納袋を、左前身頃の裏面側には左収納袋をそれぞれの開口部を互いに対向させるように取り付け、これら両収納袋に跨がるように前記開口部を介して防護機能を有する機能板を出し入れ可能に収納したことを特徴とする防護機能を有する外衣シャツである。
【０００７】
上記構成により、外衣シャツを着用したままで、防護機能を有する機能板を挿入した機能外衣シャツの状態と防護機能を有する機能板を挿入しない通常外衣シャツの状態とに簡単に切り替えることができる。しかも、防護機能を有する機能板の収納袋が右前身頃と左前身頃の内側に取り付けられていることにより、機能外衣シャツの状態にした場合でも防護機能を有する機能板が直接肌に密着することがなく、良好な着心地にすることができる。
【０００８】
【発明の実施の形態】
図１および図２は、本発明を防刃用シャツとして構成した機能外衣シャツの場合を示す。図１および図２に示す防刃用シャツ１において、２ａは右前身頃、２ｂは左前身頃、３はえり（カラー）である。右前身頃２ａの前身端部には７個のボタン４が取り付けられ、これに対向する左前身頃２ｂの前身端部には同じく７個のボタン穴５が設けられている。これらボタン４とボタン穴５とを互いに係合すると、図１のように右前身頃２ａと左前身頃２ｂとは互いに閉じられ、また互いの係合を外すと、図２のように右前身頃２ａと左前身頃２ｂとが開けられるようになっている。
【０００９】
右前身頃２ａの裏面側と左前身頃２ｂの裏面側には、それぞれ右収納袋６ａと左収納袋６ｂとが取り付けられている。かつ、これら右収納袋６ａと左収納袋６ｂは、図２に示すように、互いに対向する前身端側に開口７ａ，７ｂをもつように袋状に形成されている。図３は、これら右収納袋６ａと左収納袋６ｂとをシャツ本体から分離した状態を示している。
【００１０】
これら右収納袋６ａと左収納袋６ｂは、それぞれの上縁部８ａａ，８ａｂ；８ｂａ，８ｂｂが、右前身頃２ａの肩部と台えり３ａの下部及び左前身頃２ｂの肩部と台えり３ａの下部に共縫いされている。すなわち、右前身頃２ａの上縁部８ａａ，８ａｂは、８ａａが台えり３ａの下部に、また８ａｂが右前身頃２ａの肩部にそれぞれ共縫いされ、また左前身頃２ｂの上縁部８ｂａ，８ｂｂは、８ｂａが台えり３ａの下部に、８ｂｂが左前身頃２ｂの肩部にそれぞれ共縫いされている。（図５参照）
【００１１】
さらに、右収納袋６ａおよび左収納袋６ｂの各上部の側縁部９ａ，９ｂは、それぞれ前者は右前身頃２ａのアームホール１１ａに、後者は左前身頃２ｂのアームホール１１ｂに共縫いされている。さらに、右収納袋６ａの脇側縁部１０ａおよび左収納袋６ｂの脇側縁部１０ｂが、それぞれ前者が右前身頃２ａの脇部１２ａに、後者が左前身頃２ｂの脇部１２ｂにそれぞれ共縫いされている。（図６参照）
【００１２】
上記のように左右の収納袋６ａ，６ｂの右前身頃２ａや左前身頃２ｂに対する取り付けられ方が、右前身頃２ａや左前身頃２ｂの内側の肩部、アームホール、脇部などの縫合部に共縫いされているので、外衣シャツを外側から見たとき、収納袋６ａ，６ｂの内設していないシャツと全く同じ外観に見えるようになっている。すなわち、外衣シャツの内部に収納袋６ａ，６ｂが設けられていることが、外観上全くわからないようになっている。
【００１３】
このように右前身頃２ａの裏面側および左前身頃２ｂの裏面側に取り付けられた右収納袋６ａと左収納袋６ｂには、図４に示すような防刃板１４が両収納袋６ａ，６ｂに跨がるように出し入れ自在に収納されるようになっている。さらに、収納された状態で、両収納袋６ａ，６ｂの開口７ａ，７ｂの近辺に設けられた面ファスナー１３ａ，１３ｂが互いに係合され、両収納袋６ａ、６ｂの間が互いに連結されるようになっている。
【００１４】
防刃板１４は、正面視が図４に示すような、少なくとも人体の胸部を覆うような形状に作られ、外部から刃物等で切り付けられても、その刃先が人体に及ばないように防護する部品である。その構造は特に限定されないが、従来から使用されている公知のものが何れも使用可能である。一般には複数枚の軽金属板が並べられた状態で、その外側を布帛で被覆されて一体構造に作られている。
【００１５】
右収納袋６ａと左収納袋６ｂには、それぞれ両収納袋内に跨がるように収納したときの防刃板１４の外形に合わせて、飾り縫い１５ａ，１５ｂが施されている。この飾り縫い１５ａ，１５ｂは、防刃板１４の外形に合わせてステッチされているため、この防刃板１４の左右及び上下移動を防止し、防刃板１４による防護機能の保全と着心地とを良好に維持する作用を行う。
【００１６】
上述した防刃用外衣シャツ１によると、右前身頃２ａの裏面側と左前身頃２ｂの裏面側にそれぞれ右収納袋６ａと左収納袋６ｂとが取り付けられ、この両収納袋６ａ，６ｂに跨がるように防刃板１４が出し入れ自在に収納されるようになっているので、左右の両前身頃２ａ，２ｂを開くだけで、シャツを脱ぐことなく、着用した状態のままで、通常衣服としてのシャツ着用状態と、防刃防護衣服の状態とに簡単に切り替えることができる。しかも、防刃板１４が右前身頃２ａおよび左前身頃２ｂの内側に取り付けられるので、防刃板１４が直接肌に密着するようなことがなく、着心地を良好することができる。
【００１７】
また、右収納袋６ａ及び左収納袋６ｂの右前身頃２ａ及び左前身頃２ｂに対する取り付け方が、それぞれの上端部を、前者は右前身頃２ａの肩部と台えり３ａの下部に、また後者は左前身頃２ｂの肩部と台えり３ａの下部とに共縫し、さらに図示の実施形態においては、それぞれ右前身頃２ａのアームホール１１ａ及び左前身頃２ｂのアームホール１１ｂに共縫いし、さらにそれぞれ右前身頃２ａの脇部１２ａ及び左前身頃２ｂの脇部１２ｂにも共縫いしているので、防刃板１４の重量が肩部だけに集中することがなく、アームホール１１ａ，１１ｂや脇部１２ａ，１２ｂに分散させる。したがって、肩凝りなどを起こすことがなく、非常に良好な着心地にすることができる。
【００１８】
また、図示の実施形態のように、右収納袋６ａと左収納袋６ｂとに、これら両収納袋２ａ，２ｂに跨がるように挿入した防刃板１４の外形に合わせた飾り縫い１５ａ，１５ｂが施されているので、防刃板１４の上下左右の移動を拘束し、人体に対する防刃機能を確実に保全することができ、しかも一層良好な着心地を保証することができる。
【００１９】
本発明において、外衣シャツの形態としては、図に例示したような外衣シャツに限定されるものでなく、前身頃が左右に分離された形態の外衣シャツで、えりと両袖を有するものであれば、どのような外衣シャツにも使用可能である。ほとんど防護だけの着用目的で、例えば防刃板を収納したベスト（チョッキ）状のもの等は本発明の外衣シャツと本質が相違する。
また、左右の収納袋６ａ，６ｂの構成としては、防刃板１４の存在を外側から見え難くするために、図示の実施形態のように外衣シャツの前身頃とは独立した前後２枚の布帛から構成することが好ましい。しかし、必要により、右前身頃２ａ、左前身頃２ｂを収納袋６ａ，６ｂの前部側の布帛として兼用させ、後側１枚を独立に設けた布帛と組合せて構成するようにしてもよい。
【００２０】
この収納袋６ａ，６ｂに使用する布帛としては、特に限定されないが、好ましくは少なくとも後側に配置する布帛をメッシュ地にするとよい。さらに好ましくは、前後の布帛ともメッシュ地にするとよい。このようにメッシュ地を使用することにより肌触りや着心地を良好にすることができる。
【００２１】
また、図示の実施形態では、左右の収納袋６ａ，６ｂを互いに連結する手段として、面ファスナー１３ａ，１３ｂが使用されている。しかし、着脱自在な連結手段であれば、必ずしも面ファスナーに限定されるものでなく、ボタン、ホックなど他の公知の連結手段を使用することができる。
【００２２】
また、図示の実施形態では、左右の収納袋６ａ，６ｂの取り付け方を、左右の前身頃２ａ，２ｂの肩部、アームホール、脇部などに共縫いして、外衣シャツの外側からは取り付けが判らないようにした場合を例示したが、飾り縫いなどにより積極的に取り付けを表すようにすることも差し支えない。
【００２３】
また、上述の実施形態では、防刃用外衣シャツの場合を例示した。しかし、本発明は、防刃板に代えて防弾板を挿入した防弾外衣シャツとしても適用することができる。また、溶鉱炉、鋳物工場、鉄道や地下鉄等のトンネル掘削現場、火事現場などの高温現場とか、又は保冷庫や極寒地などの低温現場で作業する作業者が着用する作業服としての高温・低温から防護する外衣シャツにも応用することができる。
【００２４】
例えば、高温現場の作業服としては、上記防刃板に代えて蓄熱剤を冷却した保冷板（例えば、商品名“アイスノン”などとして市販されているもの）を左右の収納袋に跨がるように挿入すればよい。また、低温現場の作業服としては、上記防刃板に代えて発熱剤からなる保温板（例えば、商品名“ホカロン”などとして市販されているもの）を左右の収納袋に跨がるように挿入すればよい。
【００２５】
これらの保冷衣服や保温衣服の場合も、上述した防刃用外衣シャツと同様に、外衣シャツを着用したまま防護機能を有する機能板の出し入れができ、通常外衣シャツの状態と機能外衣シャツの状態とに簡単、迅速に切り替えることができる。
【００２６】
また、本発明は、上述した防刃、防弾、保温、保冷などの単独機能だけを備えた機能外衣シャツに限定されず、これらの機能から２以上の機能を組合せて具備する機能外衣シャツとしても適用することができる。
【００２７】
【発明の効果】
上述したように、本発明によれば、いちいち外衣シャツを脱ぐことなく着用した状態のままで、通常外衣シャツの状態と防護機能を持つ機能板を挿入した機能外衣シャツの状態とに簡単に切り替えることができる。しかも、機能板の収納袋が右前身頃と左前身頃の内側に取り付けられているため、機能板が直接肌に密着することがなく、着心地を一層良好にすることができる。
【図面の簡単な説明】
【図１】本発明の実施形態からなる外衣シャツを袖部分を一部省略して示した正面図である。
【図２】図１の外衣シャツを前身頃を一部開いた状態にして示した正面図である。
【図３】図１の外衣シャツに設けられた左右の収納袋をシャツから切り離した単独の状態にして示す正面図である。
【図４】図１の外衣シャツに使用される防刃板（機能板）の一例を示す正面図である。
【図５】図１のＡ−Ａ矢視の断面図である。
【図６】図１のＢ−Ｂ矢視の断面図である。
【符号の説明】
１  防刃用外衣シャツ
２ａ  右前身頃
２ｂ  左前身頃
３  えり
３ａ  台えり
４  ボタン
５  ボタン穴
６ａ  右収納袋
６ｂ  左収納袋
７ａ，７ｂ  開口
８ａａ，８ａｂ；８ｂａ，８ｂｂ  上縁部
９ａ，９ｂ  （左右収納袋の）上部側縁部
１０ａ，１０ｂ  脇側縁部
１１ａ，１１ｂ  アームホール
１２ａ，１２ｂ  脇部
１３ａ，１３ｂ  面ファスナー
１４  防刃板（機能板）
１５ａ，１５ｂ  飾り縫い
【図１】
0004281854.tif 000002
【図２】
0004281854.tif 000003
【図３】
0004281854.tif 000004
【図４】
0004281854.tif 000005
【図５】
0004281854.tif 000006
【図６】
0004281854.tif 000007